(57)【要約】【課題】従来は非常に回路が複雑でコストもかかり、しかも色にじみだけを改善するものであり、色ノイズを低減することができないという問題がある。【解決手段】輝度信号が変化した場合は、輝度信号エッジ検出装置２からエッジ検出信号が出力される。この期間は、係数選択装置３により係数ｋとして”１”を選択する。これにより、ＩＩＲフィルタ１は色差信号に対するノイズ低減効果はなくなるが、入力される色差信号にすぐに応答するため、ＩＩＲフィルタ１から取り出される信号処理された色差信号のエッジと、輝度信号のエッジとが揃い、ＩＩＲフィルタ１から色にじみの低減された色差信号を出力することができる。輝度信号及び色差信号のエッジがない平坦部では、ＩＩＲフィルタ１内の係数ｋを例えば”０.１”程度の小さな値とする。この結果、ＩＩＲフィルタ１の応答が遅いが、ノイズ改善効果が大きいので、ノイズが低減される。【選択図】図１
2008312076.tif 000002
【特許請求の範囲】
【請求項１】
所定の矩形ブロック単位で圧縮符号化された画像データを復号して得られた輝度信号と色差信号のうちの、前記色差信号に対して所定の信号処理を行う映像信号処理装置において、
外部から選択された係数に応じた特性により、前記色差信号に対してフィルタ処理を行って出力する巡回形のフィルタ手段と、
前記輝度信号のエッジを検出して、前記矩形ブロックのサイズに対応した所定幅のエッジ検出信号を出力する輝度信号エッジ検出手段と、
前記輝度信号エッジ検出手段からの前記エッジ検出信号の入力の有無に応じて、前記フィルタ手段の係数として第１の係数又は第２の係数を選択して、前記フィルタ手段に設定する係数選択手段と
を有し、
前記係数選択手段は、前記エッジ検出信号が入力されない期間は、前記フィルタ手段の係数として前記フィルタ手段を前記第２の係数選択時よりもノイズ改善効果が大きな特性とする前記第１の係数を選択し、前記所定幅の期間である前記エッジ検出信号が入力される期間は、前記フィルタ手段の係数として前記フィルタ手段を前記第１の係数選択時よりも速い応答特性とする前記第２の係数を選択することを特徴とする映像信号処理装置。
【請求項２】
所定の矩形ブロック単位で圧縮符号化された画像データを復号して得られた輝度信号と色差信号とのうちの、前記色差信号に対して所定の信号処理を行う映像信号処理装置において、
前記色差信号を第１の時間遅延する色差信号遅延手段と、
前記輝度信号を前記第１の時間と略同一の時間である第２の時間遅延する輝度信号遅延手段と、
前記輝度信号遅延手段により遅延された前記輝度信号のエッジを検出して、前記矩形ブロックのサイズに対応した所定幅の第１のエッジ検出信号を出力する第１のエッジ検出手段と、
前記色差信号のエッジを検出して、第２のエッジ検出信号を出力する第２のエッジ検出手段と、
前記第１のエッジ検出信号が入力されない期間及び前記第１のエッジ検出信号のみが入力される期間は、前記色差信号遅延手段から出力された遅延された色差信号を選択し、前記所定幅の期間である前記第１のエッジ検出信号が入力される期間内に前記第２のエッジ検出信号が入力される期間は、前記色差信号遅延手段の入力色差信号である非遅延色差信号を選択する色差信号選択手段と、
外部から選択された係数に応じた特性により、前記色差信号選択手段により選択された色差信号に対してフィルタ処理を行って出力する巡回形のフィルタ手段と、
前記第１のエッジ検出手段からの前記第１のエッジ検出信号の入力の有無に応じて、前記フィルタ手段の係数として第１の係数又は第２の係数を選択して、前記フィルタ手段に設定する係数選択手段と
を有し、
前記係数選択手段は、前記第１のエッジ検出信号が入力されない期間は、前記フィルタ手段の係数として前記フィルタ手段を前記第２の係数選択時よりもノイズ改善効果が大きな特性とする前記第１の係数を選択し、前記第１のエッジ検出信号が入力される期間は、前記フィルタ手段の係数として前記フィルタ手段を前記第１の係数選択時よりも速い応答特性とする前記第２の係数を選択することを特徴とする映像信号処理装置。
【発明の詳細な説明】
【技術分野】
【０００１】
本発明は映像信号処理装置に係り、特にＭＰＥＧ（Moving Picture Experts Group）などの符号化方式により圧縮符号化された画像データを復号化して得られた映像信号に対して、画質改善のための信号処理を行う映像信号処理装置に関する。
【背景技術】
【０００２】
ＭＰＥＧなどの符号化方式では、輝度信号に比較して、色差信号は人間の視覚の分解能が低いため、一般に間引きされ、なお、かつ量子化も粗く行われる。また、ＭＰＥＧでは符号化対象の映像信号の１フレーム内の特定の矩形範囲で予測、圧縮が行われるため、圧縮率を高くした場合、色差信号はこの矩形範囲内ではあまり変化せず矩形範囲毎に変化する場合が多い。そのため、原画像では矩形範囲内に輝度および色の変化を伴う輪郭が存在しても、復号した映像信号中の色差信号の輪郭は変化せず、矩形範囲の境界で変化することとなり、それが色にじみとなる。
【０００３】
これを改善する技術として、色補正装置が提案されている（例えば、特許文献１参照）。この色補正装置では、画像を複数の輝度データからなるブロックに分割し、そのブロック内の輝度データを用いてブロックが輪郭を有する輪郭ブロックであるか否かを判別し、輪郭ブロックであれば輪郭ブロック内に色境界を有する色境界ブロックであるか否かを判別する。次に、色境界ブロックと判別されたブロックについてのみ、ブロック内を複数の輝度領域と複数の色領域とに分割し、分割された輝度領域の各領域内に分割された色領域の各領域の色データ数を算出する。
【０００４】
更に、上記の色補正装置は、この色データ数によって、輝度領域の各領域が複数の異なる色領域の色データからなる色不一致輝度領域か、あるいは単一の色領域の色データで満たされた色一致輝度領域かを判別し、最終的に色不一致輝度領域と判別された領域内の色データと同じ色データを除き、最も多い色不一致輝度領域の色データで色不一致輝度領域の色データの全てを置換する。これにより、上記の色補正装置によれば、ある輝度領域へ他の輝度領域からの色のはみ出しがあっても、輝度領域の境界に色領域の境界が一致し、輪郭及び輪郭周辺に生じた色にじみを取り除くものである。
【０００５】
【特許文献１】特開平８−１７２６４０号公報
【発明の開示】
【発明が解決しようとする課題】
【０００６】
しかしながら、上記の色補正装置は、非常に回路が複雑でコストもかかり、しかも色にじみだけを改善するものであり、色ノイズを低減することができないという問題がある。
【０００７】
本発明は上記の点に鑑みなされたもので、簡単な回路構成で、色にじみを改善すると共に色ノイズも低減し得る映像信号処理装置を提供することを目的とする。
【課題を解決するための手段】
【０００８】
上記の目的を達成するため、第１の発明の映像信号処理装置は、所定の矩形ブロック単位で圧縮符号化された画像データを復号して得られた輝度信号と色差信号のうちの、色差信号に対して所定の信号処理を行う映像信号処理装置において、外部から選択された係数に応じた特性により、色差信号に対してフィルタ処理を行って出力する巡回形のフィルタ手段と、輝度信号のエッジを検出して、矩形ブロックのサイズに対応した所定幅のエッジ検出信号を出力する輝度信号エッジ検出手段と、輝度信号エッジ検出手段からのエッジ検出信号の入力の有無に応じて、フィルタ手段の係数として第１の係数又は第２の係数を選択して、フィルタ手段に設定する係数選択手段とを有し、係数選択手段は、エッジ検出信号が入力されない期間は、フィルタ手段の係数としてフィルタ手段を第２の係数選択時よりもノイズ改善効果が大きな特性とする第１の係数を選択し、所定幅の期間であるエッジ検出信号が入力される期間は、フィルタ手段の係数としてフィルタ手段を第１の係数選択時よりも速い応答特性とする第２の係数を選択することを特徴とする。
【０００９】
また、第２の発明は上記の目的を達成するため、所定の矩形ブロック単位で圧縮符号化された画像データを復号して得られた輝度信号と色差信号とのうちの、色差信号に対して所定の信号処理を行う映像信号処理装置において、色差信号を第１の時間遅延する色差信号遅延手段と、輝度信号を第１の時間とほぼ同一の時間である第２の時間遅延する輝度信号遅延手段と、輝度信号遅延手段により遅延された輝度信号のエッジを検出して、矩形ブロックのサイズに対応した所定幅の第１のエッジ検出信号を出力する第１のエッジ検出手段と、色差信号のエッジを検出して、第２のエッジ検出信号を出力する第２のエッジ検出手段と、第１のエッジ検出信号が入力されない期間及び第１のエッジ検出信号のみが入力される期間は、色差信号遅延手段から出力された遅延された色差信号を選択し、所定幅の期間である第１のエッジ検出信号が入力される期間内に第２のエッジ検出信号が入力される期間は、色差信号遅延手段の入力色差信号である非遅延色差信号を選択する色差信号選択手段と、外部から選択された係数に応じた特性により、色差信号選択手段により選択された色差信号に対してフィルタ処理を行って出力する巡回形のフィルタ手段と、第１のエッジ検出手段からの第１のエッジ検出信号の入力の有無に応じて、フィルタ手段の係数として第１の係数又は第２の係数を選択して、フィルタ手段に設定する係数選択手段とを有し、係数選択手段は、第１のエッジ検出信号が入力されない期間は、フィルタ手段の係数としてフィルタ手段を第２の係数選択時よりもノイズ改善効果が大きな特性とする第１の係数を選択し、第１のエッジ検出信号が入力される期間は、フィルタ手段の係数としてフィルタ手段を第１の係数選択時よりも速い応答特性とする第２の係数を選択することを特徴とする。
【発明の効果】
【００１０】
本発明によれば、簡単な回路構成で色にじみを改善できると共に、色ノイズも低減することができる。
【発明を実施するための最良の形態】
【００１１】
次に、発明を実施するための最良の形態について、図面と共に詳細に説明する。
【実施例１】
【００１２】
図１は本発明になる映像信号処理装置の実施例１のブロック図を示す。本実施例は、例えばＭＰＥＧなどの符号化方式により圧縮符号化された画像データを復号して得られた復号映像信号に対して所定の映像信号処理を行うもので、ＩＩＲフィルタ１、輝度信号エッジ検出装置２、及び係数選択装置３から構成される。
【００１３】
ＩＩＲ(Infinite Impulse Response)フィルタ１は復号した色差信号に対して、係数選択装置３から入力される係数に基づいてフィルタリングを行うことで色にじみの改善を行う、後述する巡回形のフィルタである。輝度信号エッジ検出装置２は、復号した輝度信号のエッジを検出する。係数選択装置３は、輝度信号エッジ検出装置２で検出されたエッジ検出結果を基にＩＩＲフィルタ１の係数を選択してＩＩＲフィルタ１に供給する。
【００１４】
図２はＩＩＲフィルタ１の一例の構成図を示す。同図に示すように、ＩＩＲフィルタ１は、入力信号（図１の色差信号に相当）に対して係数ｋ（ただし、０≦ｋ≦１）を乗算する乗算器１１と、加算器１２と、加算器１２の出力信号を所定のサンプリング周期Ｔだけ遅延する遅延器１３と、遅延器１３の出力信号に対して係数ｋ−１を乗算する乗算器１４とからなり、乗算器１１、１４からそれぞれ出力される乗算結果を加算器１２で加算して出力信号（図１の処理された色差信号に相当）を出力する構成である。このＩＩＲフィルタ１は、係数ｋが大きい時は応答が速いがノイズ低減効果は小さく、係数ｋが小さいときは応答が遅くなるがノイズ低減効果は大きいという特性を持つ。
【００１５】
図３は輝度信号エッジ検出装置２の一例の構成図を示す。同図に示すように、輝度信号エッジ検出装置２は、入力信号（図１の輝度信号に相当）をサンプリング周期Ｔのｎ倍（ｎは任意の自然数）の期間遅延する遅延器２１と、入力信号から遅延器２１の出力遅延信号を減算する減算器２２と、減算器２２から出力される差分信号のレベルを所定の閾値ｔｈと大小比較して、その比較結果に応じた論理値のエッジ検出信号を出力する比較器２３とから構成される。遅延器２１の遅延時間ｎＴは任意であるが、後述するように１６Ｔ程度に取ると、誤動作が少なくなる。なお、色差信号には２つの種類の信号（Ｃｂ，ＣｒまたはＰｂ，Ｐｒ）があり、処理はそれぞれの色差信号に対して行う必要があるが、全く同じ処理を行うため、説明では一方の色差信号について説明を行う。
【００１６】
次に、図１に示す本実施例の具体的な動作を図４のタイミングチャートを併せ参照して説明する。図４は同図（ｂ）に示す輝度信号のエッジ位置に対して同図（ａ）に示す色差信号のエッジ位置がずれており、色にじみが発生している場合のタイミングチャートを表している。
【００１７】
まず、色差信号が先に変化してから輝度信号が変化する場合を考える。図４に示す領域＃１のように輝度信号のエッジがない平坦部では、前述したＩＩＲフィルタ１内の係数ｋを例えば”０.１”程度の小さな値とする。この場合、ＩＩＲフィルタ１の応答が遅いが、ノイズ改善効果が大きいので、ノイズが低減され、色差信号が変化してもゆっくりと追従していく。
【００１８】
次に、図４に示す領域＃２のように、輝度信号が色差信号の変化よりも後に変化した場合は、輝度信号エッジ検出装置２から図４（ｃ）に示すようにハイレベルのエッジ検出信号が出力される。この領域＃２の期間は、係数選択装置３により係数ｋとして”１”を選択する。これにより、ＩＩＲフィルタ１は色差信号に対するノイズ低減効果はなくなるが、入力される色差信号にすぐに応答する。これにより、領域＃２では図４（ｄ）に示すように、ＩＩＲフィルタ１から取り出される信号処理された色差信号のエッジと、同図（ｂ）に示す輝度信号のエッジとが揃い、ＩＩＲフィルタ１から色にじみの低減された色差信号を出力することができる。
【００１９】
また、図４に示す領域＃３のように輝度信号及び色差信号のエッジがない平坦部では、前述した領域＃１と同様に、ＩＩＲフィルタ１内の係数ｋを例えば”０.１”程度の小さな値とする。この結果、ＩＩＲフィルタ１の応答が遅いが、ノイズ改善効果が大きいので、ノイズが低減され、色差信号が変化してもゆっくりと追従していく。従って、領域＃１及び＃３のように、エッジのない平坦部では、色ノイズの低減を行うことができる。
【００２０】
次に、輝度信号が先に変化してから色差信号が変化する場合を考える。図４に示す領域＃４で同図（ｃ）に示すように、輝度信号が変化した場合は、輝度信号エッジ検出装置２から図４（ｃ）に示すようにハイレベルのエッジ検出信号が出力される。この領域＃４の期間は、係数選択装置３により係数ｋとして”１”を選択する。これにより、ＩＩＲフィルタ１は色差信号に対するノイズ低減効果はなくなるが、入力される色差信号にすぐに応答する。
【００２１】
従って、図４（ａ）に示すように、この領域＃４の輝度信号のエッジ検出期間内に色差信号のエッジが入っているときは、同図（ｄ）に示すようにＩＩＲフィルタ１から取り出される信号処理された色差信号のエッジが、同図（ｂ）に示す輝度信号のエッジと揃わないので色にじみは改善しないものの、誤動作も起きない。
【００２２】
ここで、図４（ｃ）に示すエッジ検出信号のハイレベル期間（領域＃２や＃４の期間）について説明する。本実施例の映像信号処理装置に入力される色差信号及び輝度信号は、前述したようにＭＰＥＧなどの符号化方式により圧縮符号化された画像データを復号して得られた信号であるが、上記の符号化方式では水平方向１６画素、垂直方向１６画素の矩形のマクロブロック単位で符号化を行う。圧縮率を上げた場合、高域の情報が無くなるため、マクロブロック内では色は一様な値となる。そのため、マクロブロック内でエッジが存在し、色の変化が起こったとしても、マクロブロック内では変化せず、ブロックの境界で色の変化が起こることが多くなる。しかし、輝度信号は、色差信号と比較すると帯域が広いため、マクロブロック内でもエッジが存在することもあり、その場合には色にじみが生じる。
【００２３】
ここで、もし、輝度信号のエッジ検出期間が短く、その輝度信号のエッジ検出期間から色差信号のエッジ発生時点が外れた場合、上記の輝度信号のエッジ検出期間である短期間のみＩＩＲフィルタ１の係数ｋが”１”に制御されるのに対し、輝度信号のエッジ検出期間から外れた色差信号のエッジ発生時点ではＩＩＲフィルタ１の係数ｋが”１”より小さく（上記の例ではｋ＝０.１）制御される。そのため、輝度信号のエッジ検出期間から外れた色差信号のエッジ発生時点ではＩＩＲフィルタ１の応答は遅くなり、ＩＩＲフィルタ１から出力される色差信号がなかなか変化せず、逆に色にじみがひどくなってしまう。
【００２４】
そこで、本実施例では、輝度信号が色差信号よりも先に変化しても、図４（ｃ）の領域＃４に示すように、輝度信号のエッジ検出期間内に色差信号のエッジ発生時点を含むように、輝度信号エッジ検出装置２に含まれる遅延器２１の遅延時間を１つのマクロブロックの水平方向の１６画素に対応する期間である１６Ｔ程度に取ることで、エッジ検出に幅を持たせ、色にじみがひどくなるという誤動作を防ぐものである。
【００２５】
このように、本実施例によれば、非常に簡単な回路構成で、図４の領域＃２では色にじみを改善でき、また、図４の領域＃１、＃３、＃５では色ノイズを低減することができる。
【実施例２】
【００２６】
図５は本発明になる映像信号処理装置の実施例２のブロック図を示す。同図中、図１と同一構成部分には同一符号を付し、その説明を省略する。図５に示す実施例は、例えばＭＰＥＧなどの符号化方式により圧縮符号化された画像データを復号して得られた復号映像信号に対して所定の映像信号処理を行うもので、図１の実施例１の入力側に輝度信号遅延器５、色差信号遅延器６、色差信号エッジ検出装置７、及び色差信号選択装置８を追加した構成である。
【００２７】
輝度信号遅延器５は、復号した輝度信号を所定時間遅延して輝度信号エッジ検出装置２に供給する。色差信号遅延器６は復号した色差信号を所定時間遅延して色差信号選択装置８に供給する。色差信号エッジ検出装置７は復号した色差信号のエッジを検出して、その検出信号を色差信号選択装置８に供給する。色差信号エッジ検出装置７は図３に示した輝度信号エッジ検出装置２と同様の構成である。ただし、色差信号エッジ検出装置７内の遅延器２１に相当する遅延器の遅延時間は輝度信号エッジ検出装置２内の遅延器２１の遅延時間よりも短くてよい。これは、色差信号のエッジ検出は単にエッジがあることが分かればよく、幅を持たせる必要はないためである。
【００２８】
色差信号選択装置８は色差信号遅延器６の入力色差信号及び出力遅延色差信号と、色差信号エッジ検出装置７からのエッジ検出信号と、輝度信号エッジ検出装置２からのエッジ検出信号とに基づいて、所定の条件でＩＩＲフィルタ１に入力する色差信号を選択する。なお、輝度信号遅延器５と色差信号遅延器６の各遅延時間はほぼ等しく、例えば８Ｔ程度である。
【００２９】
次に、図５に示す本実施例の具体的な動作を図６のタイミングチャートを併せ参照して説明する。図６は同図（ｂ）に示す輝度信号のエッジ位置が同図（ａ）に示す色差信号のエッジ位置とずれており、色にじみが発生している場合のタイミングチャートを表している。
【００３０】
色差信号エッジ検出装置７は復号した図６（ａ）に示す色差信号のエッジを検出して、同図（ｃ）に示す色差信号エッジ検出信号を出力する。この色差信号エッジ検出信号の幅は、前述した理由から同図（ｅ）に示す輝度信号エッジ検出装置２から出力される輝度信号エッジ検出信号の幅に比べて小さくてよい。一方、輝度信号エッジ検出装置２には、復号した図６（ｂ）に示す輝度信号を、輝度信号遅延器５で所定時間遅延して得られた、同図（ｄ）に示す遅延輝度信号が入力される。
【００３１】
色差信号選択装置８は、図６に示す領域＃６、＃８、＃１１のように輝度信号のエッジがない平坦部のように、輝度信号エッジ検出装置２からエッジ検出信号が入力されない期間では、色差信号遅延器６から出力される図６（ｆ）に示す遅延色差信号を選択してＩＩＲフィルタ１に供給する。また、係数選択装置３は輝度信号エッジ検出装置２からエッジ検出信号が入力されない期間では、前述したＩＩＲフィルタ１内の係数ｋを例えば”０.１”程度の小さな値とする。
【００３２】
この結果、領域＃６、＃８、＃１１では、ＩＩＲフィルタ１の応答が遅いが、ノイズ改善効果が大きいので、ＩＩＲフィルタ１に入力された遅延色差信号のノイズが図６（ｇ）に示すように低減されて出力されると共に、入力遅延色差信号が変化してもゆっくりと追従していく。
【００３３】
次に、図６に示す領域＃７のように、輝度信号が色差信号の変化よりも後に変化した場合は、輝度信号エッジ検出装置２から図６（ｅ）に示すようにハイレベルのエッジ検出信号が出力されるが、そのハイレベル期間内には同図（ｃ）に示すように色差信号エッジ検出装置７からはエッジ検出信号が出力されない。これにより、色差信号選択装置８は色差信号遅延器６から出力される図６（ｆ）に示す遅延色差信号を選択してＩＩＲフィルタ１に供給する。
【００３４】
また、係数選択装置３は、輝度信号エッジ検出装置２からのエッジ検出信号に基づいて、ＩＩＲフィルタ１の係数ｋとして”１”を選択する。これにより、この領域＃７の期間では、ＩＩＲフィルタ１は色差信号に対するノイズ低減効果はなくなるが、入力される遅延色差信号にすぐに応答して、図６（ｇ）に示すように、ＩＩＲフィルタ１から取り出される信号処理された遅延色差信号のエッジと、同図（ｄ）に示す遅延輝度信号のエッジとが揃い、ＩＩＲフィルタ１から色にじみの低減された遅延色差信号を出力することができる。
【００３５】
次に、図６に示す領域＃９のように、輝度信号が色差信号の変化よりも前に変化し、色差信号のエッジが検出されるまでの期間では、輝度信号エッジ検出装置２から図６（ｅ）に示すようにハイレベルのエッジ検出信号が出力され、領域＃７と同様に、色差信号選択装置８は色差信号遅延器６から出力される同図（ｆ）に示す遅延色差信号を選択すると共に、係数選択装置３はＩＩＲフィルタ１の係数ｋとして”１”を選択する。
【００３６】
そして、輝度信号エッジ検出装置２から出力される輝度信号のエッジ検出信号のハイレベル期間内（輝度信号のエッジ検出期間内）において図６（ｃ）に示すように色差信号エッジ検出装置７からもエッジ検出信号が出力される領域＃１０では、色差信号選択装置８は色差信号遅延器６で遅延されていない図６（ａ）に示す色差信号を選択してＩＩＲフィルタ１に供給する。また、係数選択装置３は、輝度信号エッジ検出装置２からのエッジ検出信号に基づいて、引き続いてＩＩＲフィルタ１の係数ｋとして”１”を選択する。
【００３７】
これにより、この領域＃１０の期間では、ＩＩＲフィルタ１はそれまで入力されていた遅延色差信号が非遅延色差信号に挿げ替えられ、入力色差信号に対するノイズ低減効果はなくなるが、入力色差信号にすぐに応答して、図６（ｇ）に示すような補正された非遅延色差信号を出力する。
【００３８】
このように、本実施例では、領域＃１０の期間では、ＩＩＲフィルタ１から信号処理された非遅延色差信号が直ちに出力されるため、輝度信号のエッジ検出期間から外れた色差信号のエッジ発生時点でＩＩＲフィルタ１の応答は遅くなり、ＩＩＲフィルタ１から出力される色差信号がなかなか変化せず、逆に色にじみがひどくなってしまう、という誤動作を防止することができる。また、本実施例では、非常に簡単な回路構成で、図６の領域＃７では色にじみを改善でき、また、図６の領域＃６、＃８、＃１１では色ノイズを低減することができる。
【図面の簡単な説明】
【００３９】
【図１】本発明の映像信号処理装置の実施例１のブロック図である。
【図２】ＩＩＲフィルタの一例の構成図である。
【図３】図１中の輝度信号エッジ検出装置の一例の構成図である。
【図４】図１の動作説明用タイミングチャートである。
【図５】本発明の映像信号処理装置の実施例２のブロック図である。
【図６】図５の動作説明用タイミングチャートである。
【符号の説明】
【００４０】
１  ＩＩＲフィルタ
２  係数選択装置
３  輝度信号エッジ検出装置
５  輝度信号遅延器
６  色差信号遅延器
７  色差信号エッジ検出装置
８  色差信号選択装置
１１、１４  乗算器
１２  加算器
１３、２１  遅延器
２２  減算器
２３  比較器
【図１】
2008312076.tif 000003
【図２】
2008312076.tif 000004
【図３】
2008312076.tif 000005
【図４】
2008312076.tif 000006
【図５】
2008312076.tif 000007
【図６】
2008312076.tif 000008